(57)【要約】  【課題】紙製でありながら優れた保形性を備える。  【解決手段】底面部１と、底面部１の各辺１０から立ち上がる複数の側壁２，３，４，５と、隣り合う側壁２，３，４，５間に形成される角部Ａ１，Ａ２，Ａ３，Ａ４に連設され、該角部Ａ１，Ａ２，Ａ３，Ａ４を折線として隣り合う側壁２，３から側壁４，５へ折り込み、側壁４，５に対して固着された折り込み片６Ａ，６Ｂ，７Ａ，７Ｂと、側壁２，３の上縁部から前記折り込み片６Ａ，６Ｂ，７Ａ，７Ｂの上縁部に亘って連設され、該両上縁部を折線として、側壁２，３及び折り込み片６Ａ，６Ｂ，７Ａ，７Ｂと対面するように折り返された折り返し片８，９と、を備えた。  【選択図】図１
2010036939.tif 000002
【特許請求の範囲】
【請求項１】
１枚のブランクを折り曲げて形成された紙製包装容器であって、
前記紙製包装容器の底面部と、
前記底面部の各辺から立ち上がる複数の側壁と、
前記隣り合う側壁間に形成される角部に連設され、該角部を折線として隣り合う側壁の一方側から他方側の側壁へ折り込むとともに、該他方側の側壁に対して固着された折り込み片と、
前記一方側の側壁の上縁部から前記折り込み片の上縁部に亘って連設され、該両上縁部を折線として、前記一方側の側壁及び折り込み片と対面するように折り返された折り返し片と、を備えていることを特徴とする紙製包装容器。
【請求項２】
前記他方側の側壁の上縁部に連設され、該上縁部を折線として、該他方側の側壁と対面するように折り返された折り返し片を備えていることを特徴とする請求項１に記載の紙製包装容器。
【発明の詳細な説明】
【技術分野】
【０００１】
本発明は、１枚のブランクを折り曲げて形成された紙製包装容器に関する。
【背景技術】
【０００２】
生鮮食品や調理済み食品などの各種食品を包装する包装容器としては、防水性を有する発泡ポリスチロール製の包装容器が多く用いられている。最近では、廃棄・焼却時における環境問題等に対応するため、防水加工を施した紙製包装容器も多く用いられている。
【０００３】
しかしながら、前記紙製包装容器は、発泡ポリスチロール製の包装容器に比べて保形性が劣るため、ストレッチフィルムで包装する際に、該ストレッチフィルムの張力により、紙製包装容器の側壁部分が湾曲変形して、外観を損ねたり、紙製包装容器内の食品が崩れたり等が生じる。また、ストレッチフィルムを取外した状態で持ち運ぶ場合に、側壁が変形して、食品を落としてしまうようなことも生じていた。さらに、ストレッチフィルムの包装時においても、側壁部分が変形して確実に包装できないということも生じていた。
【０００４】
なお、本発明に関連する先行技術文献のうち、出願人が本件特許出願時に知っているものがないので、開示すべき先行技術文献情報はない。
【発明の開示】
【発明が解決しようとする課題】
【０００５】
本発明は、このような問題に対処することを課題とするものである。すなわち、紙製でありながら保形性を備えることが本発明の目的である。
【課題を解決するための手段】
【０００６】
前記目的を達成するため、本発明に係る製包装容器は、次の構成を少なくとも具備する。
【０００７】
本発明に係る紙製包装容器は、１枚のブランクを折り曲げて形成された紙製包装容器であって、該紙製包装容器の底面部と、前記底面部の各辺から立ち上がる複数の側壁と、前記隣り合う側壁間に形成される角部に連設され、該角部を折線として隣り合う側壁の一方側から他方側の側壁へ折り込み、該他方側の側壁に対して固着された折り込み片と、前記一方側の側壁の上縁部から前記折り込み片の上縁部に亘って連設され、該両上縁部を折線として、前記一方側の側壁及び折り込み片と対面するように折り返された折り返し片と、を備えていることを特徴とする。
【０００８】
また、前記他方側の側壁の上縁部に連設され、該上縁部を折線として、該他方側の側壁と対面するように折り返された折り返し片を備えていることを特徴とする。
【発明を実施するための最良の形態】
【０００９】
以下、本発明に係る紙製包装容器を実施するための最良の形態を図面に基づいて説明する。
図１〜図５は、本発明に係る紙製包装容器の第１実施例を示し、図６及び図７は、本発明に係る紙製包装容器の第２実施例を示す。
【００１０】
各実施例の紙製包装容器（以下「容器」という）Ａは、１枚のブランクＢの要所の折り曲げ及び固着により、上部が開口された蓋無しタイプとして形成したものである。また、各実施例の前記ブランクＢは、たとえば、板紙や厚紙又は段ボールなどの紙製基材を所定形状に裁断したものであり、目的に応じて容器Ａの内側に相当する面に防水加工した紙製基材が用いられる。
【００１１】
第１実施例の容器Ａは、図１に示すように、正方形状の底面部１の各辺１０から立ち上げられた側壁２，３，４，５同士が、折り込み片６Ａ,６Ｂ,７Ａ,７Ｂで連結されている。前記折り込み片６Ａは、側壁２から側壁４へ、前記折り込み片６Ｂは、側壁２から側壁５へ折り込んで、それぞれ接着剤等により固着してある。前記折り込み片７Ａは、側壁３から側壁４へ、前記折り込み片７Ｂは、側壁３から側壁５へ折り込んで、それぞれ接着剤等により固着してある。この折り込み片６Ａ,６Ｂ,７Ａ,７Ｂの固着により、容器Ａの形状を保持している。
【００１２】
また、前記容器Ａは、その開口縁周面が、側壁２，３，４，５の上端部から折り返された折り返し片８，９，８’，９’により２重構造になっている。すなわち、容器Ａの開口縁周面を２重構造にしたことにより、側壁２，３，４，５が補強されているため、容器Ａをストレッチフィルムで包装する際の該ストレッチフィルムの張力に抗して側壁２，３，４，５の湾曲変形を抑制できる。また、ストレッチフィルムを取外した状態で持ち運ぶ際の側壁２，３，４，５の変形を抑制できる。さらに、ストレッチフィルムの包装時における側壁２，３，４，５の変形を抑制できる。
【００１３】
また、前記折り返し片８は、側壁２から角部Ａ１，Ａ２を経て側壁４，５に亘って、前記折り返し片９は、側壁３から角部Ａ３，Ａ４を経て側壁４，５に亘って連設されているとともに、折り返してある。
【００１４】
すなわち、前記折り返し片８は、前記角部Ａ１，Ａ２を介して折り返した面が互いに直交する方向の、側壁側の折り返し部８Ａと、折り込み片側の折り返し部８Ｂ，８Ｃとを有し、前記折り返し片９は、前記角部Ａ３，Ａ４を介して折り返した面が互いに直交する方向の、側壁側の折り返し部９Ａと、折り込み片側の折り返し部９Ｂ，９Ｃとを有している。
【００１５】
したがって、前記折り返し片８，９は、折り返し状態から元に戻ろうとする動きを、前記折り返し部８Ａと折り返し部８Ｂ，８Ｃとが互いに折り返し片８の長さ方向で引き合い、前記折り返し部９Ａと折り返し部９Ｂ，９Ｃとが互いに折り返し片８の長さ方向で引き合うことにより阻止することができる。これにより、接着剤を使用することなく、折り返し片８，９の折り返し状態を保持することができるので、容器Ａの形成が容易に行えるとともに、迅速に行なうことができる。
【００１６】
前記折り返し片８’は、前記側壁４と前記折り込み片６Ａ，６Ｂの間に、前記折り返し片９’ は、前記側壁４と前記折り込み片７Ａ，７Ｂの間に、それぞれ挟まれるように折り返されている。この折り返し片８’，９’の折り返し状態の保持は、それぞれ、折り込み片６Ａ，６Ｂ，７Ａ，７Ｂで折り返し状態を保持するようにしてもよいし、側壁４，５に対して接着剤等により固着することで折り返し状態を保持するようにしてもよい。
【００１７】
図中、符号Ｃは、側壁２，３，４，５に外側へ反り出す方向の力を生じさせるための折線であり、各側壁２，３，４，５のほぼ中央部を中心とし、該中心から三方に放射状を描くように形成されている。
【００１８】
前記容器Ａは、図２に示すブランクＢを折り曲げ及び固着することにより形成される。該ブランクＢは、その中央に正方形状の底面部１が設定され、該底面部１の各辺１０に相当する折線１０Ａを介して前記４枚の側壁２,３,４,５が連設されている。
【００１９】
前記折り込み片６Ａは、前記側壁２と該側壁２と隣り合う側壁４を連結するものであり、前記折り込み片６Ｂは、前記側壁２と該側壁２と隣り合う側壁５を連結するものである。前記折り込み片７Ａは、前記側壁３と該側壁３と隣り合う側壁４を連結するものであり、符号７Ｂは、前記側壁３と該側壁３と隣り合う側壁５を連結するものである。
【００２０】
前記折り込み片６Ａは、前記角部Ａ１に相当する側壁２の側縁に形成された折線２０Ａと、前記角部Ａ１に相当する側壁４の側縁に形成された折線４０Ａとに亘るように連設され、前記折り込み片６Ｂは、前記角部Ａ２に相当する側壁２の側縁に形成された折線２０Ｂと、前記角部Ａ２に相当する側壁５の側縁に形成された折線５０Ａとに亘るように連設されている。
前記折り込み片７Ａは、前記角部Ａ３に相当する側壁３の側縁に形成された折線３０Ａと、前記角部Ａ３に相当する側壁４の側縁に形成された折線４０Ｂとに亘るように連設され、前記折り込み片７Ｂは、前記角部Ａ４に相当する側壁３の側縁に形成された折線３０Ｂと、前記角部Ａ４に相当する側壁５の側縁に形成された折線５０Ｂとに亘るように連設されている。
【００２１】
各折り込み片６Ａ,６Ｂ,７Ａ,７Ｂには、それぞれ、前記底面部１の対角線の延長線上に沿う折線１１が形成されており、各折り込み片６Ａ,６Ｂ,７Ａ,７Ｂは、該折線１１に沿って折り重ねられるようにしてある。また、各折り込み片６Ａ,６Ｂ,７Ａ,７Ｂは、前記折線１１を境に、前記側壁２,３側を外面１２とし、前記側壁４，５側を接着面１３としてあり、前記折線１１に沿って折り重ねた折り込み片６Ａ,６Ｂ,７Ａ,７Ｂの接着面１３を前記側壁４，５の外面に固着することにより、前記各側壁２，３，４，５同士を連結するようにしてある。
【００２２】
前記折り返し片８は、前記側壁２の上縁及び折り込み片６Ａ,６Ｂにおける外面１２の上縁に相当する折線２０Ｃを介して連設されている。前記折り返し片９は、前記側壁３の上縁及び折り込み片７Ａ,７Ｂにおける外面１２の上縁に相当する折線３０Ｃを介して連設されている。
【００２３】
また、前記折り返し片８には、前記折線２０Ａと連続する折線８０Ａ及び前記折線２０Ｂと連続する折線８０Ｂが、前記前記折り返し片９には、前記折線３０Ａと連続する折線９０Ａ及び前記折線３０Ｂと連続する折線９０Ｂが形成されている。また、折り返し片８は、前記折線８０Ａ，８０Ｂを介して、前記折り返し部８Ａと折り返し部８Ｂ，８Ｃとを連設し、折り返し片９は、前記折線９０Ａ，９０Ｂを介して、前記折り返し部９Ａと折り返し部９Ｂ，９Ｃとを連設している。
【００２４】
前記折り返し片８’は、前記側壁４の上縁に相当する折線４０Ｃを介して連設され、前記折り返し片９’は、前記側壁５の上縁に相当する折線５０Ｃを介して連設されている。
【００２５】
次に、図３〜図５に基づいて、前記ブランクＢを用いて容器Ａを形成する工程を説明する。
【００２６】
（第１工程：図３）
前記側壁２，３，４，５を、それぞれ、前記折線１０Ａに沿って折り曲げて立ち上げるとともに、前記折り込み片６Ａ,６Ｂ,７Ａ,７Ｂを、それぞれ、前記折線１１に沿って折り曲げる。このとき、折り込み片６Ａ,６Ｂ,７Ａ,７Ｂが側壁２，３と平行になるように、前記折線４０Ａ，４０Ｂ，５０Ａ，５０Ｂに沿って折り曲げる。
【００２７】
（第２工程：図４）
前記折り返し片８’，９’を、それぞれ、前記折線４０Ｃ，５０Ｃに沿って、前記側壁４、５の外面と対面するように折り曲げる。このとき、前記したように、折り返し片８’，９’を前記側壁４，５の外面に対して接着剤で固着してもよいし、固着しないでもよい。
【００２８】
（第３工程：図５）
前記折り返し片８，９を、それぞれ、前記折線２０Ｃ，３０Ｃに沿って、前記側壁２，３の外面と対面するように折り曲げ、次いで、前記折り込み片６Ａ,６Ｂ,７Ａ,７Ｂを、前記折線２０Ａと折線４０Ａ，折線２０Ｂと折線５０Ａ，折線３０Ａと折線４０Ｂ，折線３０Ｂと折線５０Ｂに沿って、前記側壁４，５と対面するように折り曲げるとともに、前記接着面１３を該側壁４，５の外面及び前記折り返し片８’，９’の外面に対して接着剤で固着する。このとき、前記折り返し片８’，９’が側壁４，５の外側に固着されていない場合でも、前記折り込み片６Ａ,６Ｂ,７Ａ,７Ｂの接着面１３が前記側壁４，５の外面に対して固着されているので、前記折り返し片８’，９’の折り返し状態が保持され、前記折り返し片８’，９’が固着されている場合には、この固着により、折り返し片８’，９’の折り返し状態が保持される。
【００２９】
第２実施例の容器Ａは、図６に示すように、前記第１実施例の容器Ａにおける前記折り返し片８’，９’がない形態のものであり、図７に示すブランクＢを折り曲げ及び固着することにより形成される。なお、本実施例の容器Ａは、前記第１実施例の容器Ａにおける前記折り返し片８’，９’がないということ以外は、第１実施例の容器Ａの構成と同様であるので、図６，図７に、図１，図２と同じ符号を付すことにより説明は省略する。
【００３０】
本実施例の容器Ａによれば、側壁２，３の変形を前記折り返し片８，９で抑制し、側壁４，５の変形を、該側壁４，５に対して固着される前記折り込み片６Ａ,６Ｂ,７Ａ,７Ｂと、前記側壁４，５に対して記折線Ｃの外側へ反り出す方向の力を生じさせる前記折線Ｃとで抑制することができる。
【００３１】
以上説明したように、前記第１実施例及び第２実施例の容器Ａは、側壁２，３，４，５の変形を抑制したことにより、紙製でありながら優れた保形性を備えることができる。したがって、食品等を包装した容器Ａを見栄えよく並べることができ、しかもストレッチフィルムで容器Ａを包装する作業が確実、且つ迅速に行なえ、その上、ストレッチフィルムを外した状態で容器Ａを持ち運ぶ際に、容器Ａ内の食品等を落としてしまうことを防ぐことができる。
【００３２】
また、折り返し片８，９の折り返し状態を、側壁２，３に対して接着剤により固着することなく保持することができる。したがって、接着剤の使用量および使用箇所が少ない安全性の高い容器Ａであり、組み立てが容易、且つ迅速に行える容器Ａである。
【００３３】
また、前記第1実施例の容器Ａでは、折り返した状態の折り返し片８，９，８'，９'の表面側に防水加工を施した面が位置するので、容器Ａの縁部分からの水分の吸収が防止され、これにより、容器Ａの水分による変形や破損を防止することができる。しかも、折り返し片８，９，８'，９'により、容器Ａの縁部分にブランクＢの切り口が位置しないので、容器Ａの縁部分に口を添えて容器Ａ内の食品を食べる際に、口を切るようなことを防止することができる。この口を切ることを防止する点について、第２実施例の容器Ａの場合では、折り返し片８，９側の縁部分に口を添えて容器Ａ内の食品を食べれば、第1実施例と同様に口を切るようなことを防止できる。
【図面の簡単な説明】
【００３４】
【図１】本発明に係る容器の第１実施例を示す斜視図。
【図２】図１の容器を構成するブランクの平面図。
【図３】容器を構成する工程図であり、第１工程を示す。
【図４】容器を構成する工程図であり、第２工程を示す。
【図５】容器を構成する工程図であり、第３工程を示す。
【図６】本発明に係る容器の第２実施例を示す斜視図。
【図７】図６の容器を構成するブランクの平面図。
【符号の説明】
【００３５】
Ａ：容器  Ｂ：ブランク  １：底面部  １０：辺（底面部の辺）  ２：側壁
３：側壁  ４：側壁  ５：側壁  ６Ａ：折り込み片  ６Ｂ：Ａ折り込み片
７Ａ：折り込み片  ７Ｂ：折り込み片  ８：折り返し片  ９：折り返し片
８’：折り返し片  ９’：折り返し片  Ａ１：角部  Ａ２：角部  Ａ３：角部
Ａ４：角部
【図１】
2010036939.tif 000003
【図２】
2010036939.tif 000004
【図３】
2010036939.tif 000005
【図４】
2010036939.tif 000006
【図５】
2010036939.tif 000007
【図６】
2010036939.tif 000008
【図７】
2010036939.tif 000009